(57)【要約】      （修正有）【課題】可搬型電力供給装置の貸与や借用を促すサーバ装置を提供する。【解決手段】サーバ５は、通信端末３ａから受給希望情報を受信し、可搬型電力供給装置１ａ〜１ｚを所有しているユーザのうちで電力の供給を希望するユーザを募集するための募集情報を複数の通信端末３ａ〜３ｚに送信し、第二ユーザの通信端末３ｂから応募情報を受信し、第二ユーザの応募情報を第一ユーザの通信端末３ａに対して送信する。【選択図】図１
2019164639.tif 000002
【特許請求の範囲】
【請求項１】
第一ユーザの通信端末から電力の受給を希望することを示す受給希望情報を受信する第一受信手段と、
可搬型電力供給装置を所有しているユーザのうちで前記受給希望情報に基づき前記電力の供給を希望するユーザを募集するための募集情報を複数の通信端末に送信する第一送信手段と、
前記募集情報に対するレスポンスとして応募情報を第二ユーザの通信端末から受信する第二受信手段と、
前記第二ユーザの応募情報を前記第一ユーザの通信端末に対して送信する第二送信手段と
を有することを特徴とするサーバ装置。
【請求項２】
前記受給希望情報および前記募集情報はそれぞれ、前記電力の受給を希望する日時、前記電力の受給を希望する場所、および、前記電力を供給する可搬型電力供給装置の電力量に関する情報を含むことを特徴とする請求項１に記載のサーバ装置。
【請求項３】
前記受給希望情報および前記募集情報はそれぞれ、前記第一ユーザが希望する対価を示す対価情報を含むことを特徴とする請求項２に記載のサーバ装置。
【請求項４】
前記受給希望情報および前記募集情報はそれぞれ、前記可搬型電力供給装置の返却日時または前記可搬型電力供給装置の返却場所に関する情報を含むことを特徴とする請求項２または３に記載のサーバ装置。
【請求項５】
可搬型電力供給装置を有するユーザの識別情報と、当該可搬型電力供給装置の電力量と、当該ユーザの通信アドレスとを関連付けて記憶したユーザデータベースと、
前記ユーザデータベースから、前記受給希望情報に合致した複数のユーザそれぞれの通信アドレスを抽出する抽出手段と、をさらに有し、
前記第二送信手段は、前記抽出手段により抽出された通信アドレスにしたがって前記募集情報を前記複数の通信端末に送信することを特徴とする請求項２ないし４のいずれか一項に記載のサーバ装置。
【請求項６】
前記可搬型電力供給装置は、エンジン駆動発電機または可搬型蓄電池であることを特徴とする請求項２ないし５のいずれか一項に記載のサーバ装置。
【請求項７】
前記可搬型電力供給装置は、走行用の蓄電池を搭載した車両であり、
前記第二送信手段は、前記第一ユーザが電力の供給を希望する場所へ、前記第一ユーザが電力の供給を希望する日時までに前記車両が到着するよう前記車両の誘導情報を前記第二ユーザの通信端末に送信することを特徴とする請求項２ないし５のいずれか一項に記載のサーバ装置。
【請求項８】
前記車両は前記誘導情報にしたがって走行する無人車両、有人車両またはドローンであることを特徴とする請求項７に記載のサーバ装置。
【請求項９】
前記第二ユーザの応募情報を前記第一ユーザの通信端末に対して送信した後で、前記第二ユーザの応募に同意するかどうかを示す同意情報を前記第一ユーザの通信端末から受信する第三受信手段と、
前記第二ユーザの前記同意情報を前記第一ユーザの通信端末に送信する第三送信手段と
をさらに有することを特徴とする請求項１ないし８のいずれか一項に記載のサーバ装置。
【請求項１０】
複数の通信端末と通信する通信手段と、
前記通信手段を制御する制御手段と、を有し、
前記通信手段は、
第一ユーザの通信端末から電力の受給を希望することを示す受給希望情報を受信し、
前記受給希望情報に基づき前記電力の供給を希望するユーザを募集するための募集情報を複数の通信端末に送信し、
前記募集情報に対するレスポンスとして応募情報を第二ユーザの通信端末から受信し、
前記第二ユーザの応募情報を前記第一ユーザの通信端末に対して送信する
ように構成されていることを特徴とするサーバ装置。
【発明の詳細な説明】
【技術分野】
【０００１】
本発明は、可搬型電力供給装置の貸与または借用を促すサーバ装置に関する。
【背景技術】
【０００２】
特許文献１によれば走行用蓄電池を搭載した電動車両を電力価格の安い充電施設に誘導することが記載されている。今後、このような電動車両や充電施設が増加することが予想される。
【先行技術文献】
【特許文献】
【０００３】
【特許文献１】特開２０１１−１２８８７１号公報
【発明の概要】
【発明が解決しようとする課題】
【０００４】
電動車両は走行用蓄電池の電力を外部の家電製品に供給することができる。したがって、電動車両は電力の受給を希望するユーザが存在する場所まで移動して、電力を供給することができるだろう。しかし、電力の供給を希望するユーザと電力の受給を希望するユーザとをマッチングさせる手段が存在しない。
【０００５】
ところで、可搬型の蓄電池が普及しつつある。近年、米国などでは、可搬型発電機や可搬型蓄電池をキャンプ場に持ち込み、家電製品を使用するといったキャンプ愛好家が増加している。一方で、エンジンの燃料が無くなったり、充電量が不足したりすると、キャンプ愛好家は、家電製品を使用できなくなる。キャンプ場には、多数のキャンプ愛好家が集うため、あるキャンプ愛好家の可搬型蓄電池は電力供給不可能であっても、他のキャンプ愛好家の可搬型蓄電池は電力供給可能なこともあろう。
【０００６】
また、屋台の電源としてこのような可搬型蓄電池が普及することが予想される。屋台の可搬型蓄電池の充電量が減ったとき、屋台の運営者は、他のユーザの可搬型蓄電池から充電することを望むかもしれない。このように、可搬型蓄電池が普及すると、ユーザ間での可搬型蓄電池の貸し借りの需要が増加するであろう。あるユーザは自己の可搬型蓄電池に残っている電力を他のユーザに供給することで報酬を得ることを望むかもしれない。他のユーザは対価を支払ってでも電力の供給を受けたいと思うかもしれない。
【０００７】
たとえば、電力の受給を希望するユーザが他のユーザからの電力の提供を求めるためのシステムが存在すれば、可搬型電力供給装置の貸与や借用を促すことが可能となろう。そこで、本発明は、可搬型電力供給装置の貸与や借用を促すことを目的とする。
【課題を解決するための手段】
【０００８】
本発明によれば、たとえば
第一ユーザの通信端末から電力の受給を希望することを示す受給希望情報を受信する第一受信手段と、
可搬型電力供給装置を所有しているユーザのうちで前記受給希望情報に基づき前記電力の供給を希望するユーザを募集するための募集情報を複数の通信端末に送信する第一送信手段と、
前記募集情報に対するレスポンスとして応募情報を第二ユーザの通信端末から受信する第二受信手段と、
前記第二ユーザの応募情報を前記第一ユーザの通信端末に対して送信する第二送信手段と
を有することを特徴とするサーバ装置が提供される。
【発明の効果】
【０００９】
本発明によれば、可搬型電力供給装置の貸与や借用を促すことが可能となる。
【図面の簡単な説明】
【００１０】
【図１】可搬型電力供給装置の貸与システムを示す図
【図２】可搬型電力供給装置を示す図
【図３】可搬型電力供給装置を示す図
【図４】通信端末を示すブロック図
【図５】サーバ装置を示す図
【図６】ユーザデータベースを示す図
【図７】可搬型電力供給装置の貸与方法（電力仲介方法）を示すシーケンス図
【図８】電力受給方法を示すシーケンス図
【図９】供給応募方法を示すフローチャート
【図１０】電力仲介方法を示すフローチャート
【発明を実施するための形態】
【００１１】
＜貸与システム＞
図１は可搬型電力供給装置の貸与システム１００を示している。貸与システム１００は電力仲介システムと呼ばれてもよい。参照符号の末尾に付与されている小文字のアルファベットは同一または類似の装置を区別するために付与されている。このアルファベットは複数の装置に共通する事項が説明されるときは省略される。以下ではキャンプ場における可搬型電力供給装置１の貸与が説明されるが、これは一例に過ぎない。上述した屋台の運営者に可搬型電力供給装置１が貸し出されるシナリオにも本発明は適用可能である。
【００１２】
キャンプ場では、複数のキャンプ愛好家（ユーザ）がテントを設営したり、バンガローなどに宿泊したりする。第一ユーザａは負荷２ａと通信端末３ａを所持している。第一ユーザａは可搬型電力供給装置１ａを所持していない。あるいは、第一ユーザａは可搬型電力供給装置１ａでは負荷２ａに対して十分な電力を供給できないと仮定する。この場合、第一ユーザａはサーバ５を通じて電力の受給を希望することができる。第一ユーザａはキャンプ場に到着するずっと前に自宅で通信端末３ａを通じて受給希望をサーバ５に送信する。あるいは、第一ユーザａはキャンプ場で通信端末３ａを通じて受給希望をサーバ５に送信する。第二ユーザｂは可搬型電力供給装置１ｂ、負荷２ｂおよび通信端末３ｂを所持している。可搬型電力供給装置１ｂは、可搬型蓄電装置や可搬型のエンジン駆動発電機である。第三ユーザｚは可搬型電力供給装置１ｚ、負荷２ｚおよび通信端末３ｚを所持している。可搬型電力供給装置１ｚは電気自動車や電気バイクなど、モータにより走行可能な電動車両であり、負荷２ｚなどに電力を供給できる。米国等には、敷地面積が１０万平方ｋｍを超えるキャンプ場も多く、複数のユーザ間の距離は数ｋｍ程度離れていることもある。このようなキャンプ場では商用交流電源が存在せず、各ユーザは自ら電源をテントサイトに持ち込むことがある。ここでは、第一ユーザａは他のユーザの可搬型電力供給装置１を借用することを希望し、第二ユーザｂや第三ユーザｚは可搬型電力供給装置１を他のユーザに貸与してもよいと考えている。
【００１３】
サーバ５は、キャンプ場に、または、キャンプ場の外に設けられたコンピュータである。サーバ５はネットワーク６や無線基地局７を介して可搬型電力供給装置１ａ、１ｂ、１ｚや通信端末３ａ、３ｂ、３ｚと通信してもよい。可搬型電力供給装置１ａ、１ｂ、１ｚはそれぞれ対応する通信端末３ａ、３ｂ、３ｚを介してサーバ５と通信してもよい。あるいは、通信端末３ａ、３ｂ、３ｚがサーバ５と通信可能であれば、可搬型電力供給装置１ａ、１ｂ、１ｚはサーバ５と通信できなくてもよい。また、可搬型電力供給装置１ａ、１ｂ、１ｚと通信端末３ａ、３ｂ、３ｚとは一体化されていてもよい。無線基地局７はセルラー通信用の基地局であってもよいし、無線ＬＡＮのアクセスポイントであってもよい。サーバ５は、複数のユーザ間での可搬型電力供給装置１の貸与／借用を仲介する。
【００１４】
＜可搬型電力供給装置＞
図２は可搬型電力供給装置１を示すブロック図である。エンジン発電機１０は燃料タンクから供給される燃料にしたがって動作するエンジンと、当該エンジンにより駆動されて発電する発電機とを有している。燃料は、たとえば、ガソリン、液化石油ガス、水素などである。電源回路１１は、エンジン発電機１０により発電された電圧を所定の交流や直流に変換する回路である。ＡＣ／ＤＣ回路２１は、エンジン発電機１０により発電された交流を整流および平滑して直流を生成する整流平滑回路などを有している。インバータ回路２２は、ＡＣ／ＤＣ回路２１または蓄電池１２から出力される直流を所定周波数の安定した交流に変換する回路である。インバータ回路２２は蓄電池１２から出力される直流を所定周波数の安定した交流に変換してもよい。ＡＣ端子２６ａは、負荷２が接続されるＡＣアウトレット端子である。充電回路２４は、ＡＣ／ＤＣ回路２１から出力される電力を使用して蓄電池１２を充電する。制御回路１５は、電源回路１１、ＧＰＳ受信機１３、通信回路１６および操作部１７などを制御する回路である。ＧＰＳ受信機１３はＧＰＳ衛星から送信される信号を受信することで測位し、測位結果（例：緯度と経度）を制御回路１５に出力する。通信回路１６は、有線または無線を介してスマートフォンやＰＣ（パーソナルコンピュータ）と通信したり、サーバ５と通信したりする。操作部１７は表示装置と入力装置とを有している。残量センサ１４は蓄電池１２の蓄電量（例：電圧）を測定して、測定結果を制御回路１５に出力する。蓄電池１２の電圧は蓄電池１２の蓄電量が減るにつれて低下する。よって、蓄電池１２の電圧は蓄電池１２の蓄電量の目安となる。制御回路１５は定期的にまたはサーバ５から要求信号にしたがって蓄電池１２の蓄電量を示す蓄電情報をサーバ５に送信する。これによりサーバ５は様々なユーザの蓄電状態を収集することができる。
【００１５】
図３はエンジン発電機１０を有しない可搬型電力供給装置１を示すブロック図である。図２の可搬型電力供給装置１と図３の可搬型電力供給装置１とでは、エンジン発電機１０に関する部分を除き、共通の構成を採用している。ＡＣ／ＤＣ回路２１はＡＣ端子２６ｂから入力された交流を直流に変換し、充電回路２４に供給する。ＡＣ端子２６ｂはＡＣインレット端子である。充電回路２４はＡＣ／ＤＣ回路２１から供給された電力で蓄電池１２を充電する。ユーザは自宅等で可搬型電力供給装置１を充電してからキャンプ場に持ち込むことになろう。
【００１６】
図２、図３において可搬型電力供給装置１が電動車両である場合、可搬型電力供給装置１は、車輪、車輪を駆動するモータ、ハンドル、ハンドルを駆動するモータ、ブレーキ、ブレーキを駆動するモータなどを有する。制御回路１５は、ＧＰＳ受信機１３により取得された現在地の位置情報と、サーバ５により指定された目的地の位置情報とに基づき、電動車両を目的地まで誘導または運転する。可搬型電力供給装置１はドローン（例：無人航空機や無人水上艇）であってもよい。
【００１７】
＜通信端末＞
図４は通信端末のブロック図である。ＣＰＵ３１は、記憶装置３２に記憶されている制御プログラム４８を実行することで実現される複数の機能を有している。なお、これらの機能の一部またはすべてはＤＳＰ（デジタルシグナルプロセッサ）やＦＰＧＡ（フィールドプログラマブルゲートアレイ）などのハードウエア回路により実現されてもよい。記憶装置３２はＲＡＭやＲＯＭなどのメモリを含む。第一通信回路３３はネットワークを介してサーバ５と通信する通信回路である。第二通信回路３４は、オプションであり、可搬型電力供給装置１と通信する通信回路である。操作部３５は表示装置と入力装置とを有している。ＧＰＳ受信機３６は通信端末３の位置を測位する。記憶装置３２は、さらに、ユーザＩＤ４４、電力仕様情報４５、位置情報４６、通信アドレス４７などを記憶している。ユーザＩＤ４４はユーザの識別情報である。位置情報４６は、ＧＰＳ受信機により取得された通信端末３の地理的な位置（例：緯度経度または住所）を示す情報である。通信アドレス４７はユーザまたは通信端末３に割り当てられた通信アドレスである。通信アドレス４７は、ユーザに対して他のユーザやサーバ５がメッセージを送信するために使用する通信アドレスである。通信アドレス４７は、たとえば、電子メールアドレス、ＳＮＳサービスのアドレス、通信端末３または可搬型電力供給装置１で実行されるアプリケーションと通信するためのアドレスなどである。電力仕様情報４５は、可搬型電力供給装置１の仕様情報である。仕様情報には、可搬型電力供給装置１が供給できる電力量を示す情報が含まれている。
【００１８】
受給希望送信部３７、応募結果受信部３８および同意情報送信部３９はユーザが可搬型電力供給装置１の借用や電力の受給を希望するときに利用される。受給希望送信部３７は第一通信回路３３を制御し、サーバ５に対して受給希望情報を送信する。受給希望情報は、ユーザが電力の受給を希望していることを示す情報である。受給希望情報は、たとえば、操作部３５を通じて入力された電力の受給を希望する日時、電力の受給を希望する場所、電力を供給する可搬型電力供給装置の電力量（蓄電量や発電性能）に関する情報、ユーザが希望する対価を示す対価情報などを含む。さらに、受給希望情報はユーザＩＤ４４、位置情報４６および通信アドレス４７などを含んでもよい。応募結果受信部３８は第一通信回路３３を制御し、サーバ５から送信される応募情報を受信する。応募情報は、電力の供給を希望する他のユーザの情報が含まれている。同意情報送信部３９は第一通信回路３３を制御し、サーバ５に対して同意情報を送信する。同意情報はユーザが他のユーザの応募に同意することを示す情報である。同意情報送信部３９は、拒否情報をサーバ５に送信してもよい。拒否情報は、ユーザが他のユーザの応募を拒否することを示す情報である。
【００１９】
募集情報受信部４０、応募情報送信部４１、成立情報受信部４２および誘導部４３などは、ユーザが可搬型電力供給装置１の貸与や電力の供給を希望するときに利用される。募集情報受信部４０は、第一通信回路３３を制御し、サーバ５から送信される募集情報を受信する。募集情報は、他のユーザに対して電力を供給する用意があるユーザを募集するための情報である。募集情報は、たとえば、電力の受給を希望する日時、電力の受給を希望する場所、電力を供給する可搬型電力供給装置の電力量に関する情報、ユーザが希望する対価を示す対価情報などを含む。応募情報送信部４１は、第一通信回路３３を制御し、サーバ５に応募情報を送信する。応募情報は、ユーザＩＤ４４、電力仕様情報４５、位置情報４６、通信アドレス４７などを含む情報である。応募情報は、募集情報に対するレスポンスである。応募情報送信部４１は、ユーザＩＤ４４、電力仕様情報４５、位置情報４６、および、通信アドレス４７を含んでもよい。成立情報受信部４２は、第一通信回路３３を制御し、サーバ５から同意情報または拒否情報を受信する。誘導部４３は、第一通信回路３３を制御し、サーバ５から誘導情報を受信する。誘導部４３は、誘導情報と位置情報４６とにしたがってユーザを他のユーザの場所まで誘導する（ナビゲーション機能）。
【００２０】
＜サーバ５＞
図５はサーバ５の機能を示すブロック図である。ＣＰＵ５１は、記憶装置５２に記憶されている制御プログラム６３を実行することで様々な機能を実現する。なお、これらの機能の一部またはすべてはＤＳＰやＦＰＧＡなどのハードウエア回路により実現されてもよい。記憶装置５２はＲＡＭやＲＯＭ、ＨＤＤ（ハードディスクドライブ）、ＳＳＤ（シリコンステートディスク）などを含む。通信回路５３はネットワークを介して可搬型電力供給装置１や通信端末３と通信する通信回路である。
【００２１】
受給希望受信部５４は通信回路５３を制御し、通信端末３から受給希望情報を受信する。募集情報送信部５５は、受給希望情報に基づき募集情報を作成し、通信回路５３を制御して複数の通信端末に募集情報を送信する。たとえば、募集情報送信部５５は、抽出部５９に対して募集情報の宛先となる複数の通信端末３の通信アドレスを抽出させる。抽出部５９は、受給希望情報に合致した複数の複数の通信端末３の通信アドレスを抽出する。たとえば、受給希望情報を送信してきた通信端末３の位置情報を、ユーザＤＢ６２に登録されているユーザの位置情報と比較し、受給希望情報を送信してきた通信端末３に近い複数の通信端末３の通信アドレスを取得する。さらに、抽出部５９は、受給希望情報により要求された電力量の電力を提供可能な可搬型電力供給装置１を所有しているユーザに絞り込む。募集情報には、受給希望情報に含まれている条件（例：受給希望場所、日時、電力量、対価の額など）が搭載される。応募情報受信部５６は通信回路５３を制御し、募集情報に対するレスポンスとして通信端末３から応募情報を受信する。応募結果送信部５７は、応募情報に基づき応募結果を作成し、通信回路５３を制御して通信端末３に応募結果を送信する。応募者が存在する場合、応募結果には、応募したユーザの名称（ニックネーム）や連絡先の情報などが含まれてもよい。複数の応募者が存在する場合、受給希望ユーザは応募結果に基づき、いずれかの応募者を選択するか、または複数の応募者と交渉してもよい。この場合、応募結果には、応募者の通信アドレスが含まれる。応募者がゼロであれば、応募結果には応募者がゼロであったことを示す情報が含まれる。受給希望ユーザは、対価の額を増加して、再度、受給希望情報を送信してもよい。同意情報受信部６０は、応募結果に対するレスポンスである同意情報や拒否情報を、通信回路５３を通じて受信する。成立情報送信部６１は、受給希望ユーザから受信された同意情報や拒否情報を応募者の通信端末３に送信する。ナビゲーション部５８は、受給希望日時、受給希望場所、および、応募者の位置情報に基づき、応募者が受給希望日時までに受給希望場所に到着できることを促す誘導情報を作成して、応募者の通信アドレスに対して送信する。たとえば、ナビゲーション部５８は、可搬型電力供給装置１の貸与者（電力供給者）が確定すると、電力供給者の通信端末３の位置情報と受給希望場所と地図データ６４とに基づき、通信端末３の位置から受給希望場所までのルートを検索して抽出する。さらに、ナビゲーション部５８は、抽出されたルートと受給希望日時に基づき、電力供給者の出発時刻を決定する。ナビゲーション部５８は、出発時刻やルート情報などを含む誘導情報を電力供給者の通信端末３に送信する。
【００２２】
図６はユーザＤＢ６２の記憶構造を示している。ユーザＤＢ６２は可搬型電力供給装置の貸与／借用サービスに加入しているユーザに関する情報を保持している。ユーザＩＤはユーザの識別情報である。ユーザＤＢ６２はパスワードなど認証情報をさらに保持してもよい。電力仕様情報は、可搬型電力供給装置１の蓄電池の公称充電量（蓄電量）やエンジン駆動式発電機の最大出力、燃料が満タンであるときの最大電力量などを含んでもよい。位置情報は通信端末３または可搬型電力供給装置１の地理的な位置を示す情報である。通信アドレスは、電子メールアドレス、ＳＮＳサービスのアドレス、通信端末３または可搬型電力供給装置１で実行されるアプリケーションと通信するためのアドレスである。
【００２３】
＜貸与シーケンスＩ＞
図７は可搬型電力供給装置の貸与方法（電力供給方法）を示すシーケンス図である。ここでは第一ユーザａは電力の受給を希望するユーザである。第二ユーザｂは電力の供給を希望するユーザである。
【００２４】
Ｓｑ１で通信端末３ａは受給希望情報をサーバ５に送信し、サーバ５が受給希望情報を受信する。
【００２５】
Ｓｑ２でサーバ５は受給希望情報に基づき募集情報を作成し、募集情報を複数の通信端末３に送信する。通信端末３ｂは募集情報を受信する。
【００２６】
Ｓｑ３で通信端末３ｂは募集情報に対するレスポンスとして応募情報を作成し、応募情報をサーバ５に送信する。サーバ５は応募情報を受信する。
【００２７】
Ｓｑ４でサーバ５は応募情報に基づき応募結果を作成し、通信端末３ａに応募結果を送信する。通信端末３ａはサーバ５から応募結果を受信する。
【００２８】
Ｓｑ５で通信端末３ａは同意情報をサーバ５に送信し、サーバ５が同意情報を受信する。
【００２９】
Ｓｑ６でサーバ５は同意情報に基づき成立情報を作成し、通信端末３ｂに送信する。通信端末３ｂは成立情報を受信する。
【００３０】
Ｓｑ７でサーバ５は通信端末３ｂに誘導情報を送信する。通信端末３ｂは誘導情報を受信すると、操作部３５に誘導情報を表示し、第二ユーザ３ｂを受給希望場所に誘導する。なお、可搬型電力供給装置１ｂが電動車両であり、かつ、通信端末３ｂが電動車両に搭載されたナビゲーション装置であってもよい。この場合、ナビゲーション装置は誘導情報にしたがって電動車両を受給希望場所まで誘導または自動運転する。
【００３１】
＜フローチャート＞
図８は受給希望者である第一ユーザａの通信端末３ａで実行される受給希望方法を示すフローチャートである。
【００３２】
Ｓ１でＣＰＵ３１（受給希望送信部３７）は操作部３５から入力された送信指示にしたがって受給希望情報を作成してサーバ５に送信する。
【００３３】
Ｓ２でＣＰＵ３１（応募結果受信部３８）はサーバ５から応募結果を受信する。応募結果受信部３８は操作部３５の表示装置に応募結果を表示する。
【００３４】
Ｓ３でＣＰＵ３１（同意情報送信部３９）は操作部３５の入力装置から入力された指示に基づき応募に同意するかどうかを判定する。操作部３５の入力装置から応募に同意することを示す指示が入力されると、同意情報送信部３９はＳ４に進む。操作部３５の入力装置から応募に拒否することを示す指示が入力されると、同意情報送信部３９はＳ５に進む。
【００３５】
Ｓ４でＣＰＵ３１（同意情報送信部３９）は同意情報を作成し、サーバ５に送信する。
【００３６】
Ｓ５でＣＰＵ３１（同意情報送信部３９）は拒否情報を作成し、サーバ５に送信する。
【００３７】
図９は供給希望者である第二ユーザｂの通信端末３ｂで実行される供給希望方法（応募方法）を示すフローチャートである。
【００３８】
Ｓ１１でＣＰＵ３１（募集情報受信部４０）はサーバ５から募集情報を受信する。募集情報受信部４０は操作部３５の表示装置に募集情報を表示し、操作部３５の入力装置から応募するかどうかのユーザの意思表示を受け付ける。ここでは、応募することを示す意思表示が入力されたものと仮定されている。
【００３９】
Ｓ１２でＣＰＵ３１（応募情報送信部４１）は応募情報を作成し、サーバ５に応募情報を送信する。応募情報には、ユーザＩＤ、電力仕様情報、位置情報および通信アドレスなどが含まれる。
【００４０】
Ｓ１３でＣＰＵ３１（成立情報受信部４２）はサーバ５から同意情報（成立情報）を受信したかどうかを判定する。不成立情報を受信した場合、成立情報受信部４２は供給希望方法（応募方法）を終了する。一方で、成立情報を受信した場合、ＣＰＵ３１はＳ１４に進む。
【００４１】
Ｓ１４でＣＰＵ３１（誘導部４３）は誘導情報を受信するまで待機する。ＣＰＵ３１は誘導情報を受信すると、Ｓ１５に進む。
【００４２】
Ｓ１５でＣＰＵ３１（誘導部４３）は誘導情報にしたがってユーザや電動車両を誘導する。たとえば、誘導部４３は操作部３５の表示部に地図を表示し、現在地から受給希望場所までのナビゲーションを実行する。あるいは、誘導部４３は、電動車両である可搬型電力供給装置１のＧＰＳ受信機１３から取得された位置情報と、誘導情報とにしたがって、電動車両の車輪駆動用モータ、ハンドル駆動モータおよびブレーキ駆動モータなどを制御し、電動車両を受給希望場所まで自動運転する。
【００４３】
図１０はサーバ５実行される可搬型電力供給装置の貸与仲介方法を示すフローチャートである。
【００４４】
Ｓ２１でＣＰＵ５１（受給希望受信部５４）は通信端末３ａから受給希望情報を受信する。
【００４５】
Ｓ２２でＣＰＵ５１（抽出部５９）は受給希望情報に含まれる受給条件にしたがって候補者の通信アドレスなどをユーザＤＢ６２から抽出する。
【００４６】
Ｓ２３でＣＰＵ５１（募集情報送信部５５）は受給希望情報に基づき募集情報を作成し、抽出部５９により抽出された候補者の通信端末３に募集情報を送信する。
【００４７】
Ｓ２４でＣＰＵ５１（応募情報受信部５６）は候補者の通信端末３から応募情報を受信する。なお、応募情報受信部５６は、所定期間内に応募情報を受信できない場合、Ｓ３０に進む。
【００４８】
Ｓ２５でＣＰＵ５１（応募結果送信部５７）は応募情報に基づき応募結果を作成し、受給希望情報を送信してきた通信端末３ａに応募結果を送信する。
【００４９】
Ｓ２６でＣＰＵ５１（同意情報受信部６０）は通信端末３ａから同意情報を受信したかどうかを判定する。同意情報を受信した場合、ＣＰＵ５１はＳ２７に進む。ここでは、第二ユーザｂが最終的な貸与者（電力供給者）として確定したものとする。一方で、所定期間内に同意情報を受信できないか、または、拒否情報を受信した場合、ＣＰＵ５１はＳ３０に進む。Ｓ３０でＣＰＵ５１（成立情報送信部６１）は応募情報を送信してきた通信端末３に不成立情報を送信する。
【００５０】
Ｓ２７でＣＰＵ５１（成立情報送信部６１）は成立情報を通信端末３ａに送信する。成立情報には、第二ユーザｂの出発時刻（誘導開始日時）の情報が含まれていてもよい。
【００５１】
Ｓ２８でＣＰＵ５１（ナビゲーション部５８）は誘導開始日時が到来するまで待機する。ナビゲーション部５８は、地図データ６４を参照し、貸与者（第二ユーザｂ）の位置から受給希望場所までのルートと所要時間を決定する。さらに、ナビゲーション部５８は、受給希望日時から所要時間を減算することで誘導開始日時を決定する。所要時間には、ルートの距離に応じたマージン時間が加算されていてもよい。誘導開始日時が到来すると、ＣＰＵ５１はＳ２９に進む。
【００５２】
Ｓ２９でＣＰＵ５１（ナビゲーション部５８）は通信端末３ｂに誘導情報を送信する。
【００５３】
＜まとめ＞
第１態様によれば、サーバ装置が提供される。サーバ５はサーバ装置の一例である。受給希望受信部５４や通信回路５３は第一ユーザの通信端末から電力の受給を希望することを示す受給希望情報を受信する第一受信手段の一例である。募集情報送信部５５や通信回路５３は可搬型電力供給装置を所有しているユーザのうちで受給希望情報に基づき電力の供給を希望するユーザを募集するための募集情報を複数の通信端末に送信する第一送信手段の一例である。応募情報受信部５６や通信回路５３は募集情報に対するレスポンスとして応募情報を第二ユーザの通信端末から受信する第二受信手段の一例である。応募結果送信部５７は第二ユーザの応募情報を第一ユーザの通信端末に対して送信する第二送信手段の一例である。このようにサーバ装置が受給希望者と供給希望者とを仲介するため、受給希望者は容易に供給希望者を見つけることができるようになる。つまり、可搬型電力供給装置の貸与や借用を促すことが可能となる。
【００５４】
第２態様によれば、受給希望情報および募集情報はそれぞれ、電力の受給を希望する日時、電力の受給を希望する場所、および、電力を供給する可搬型電力供給装置の電力量に関する情報を含んでもよい。
【００５５】
第３態様によれば、受給希望情報および募集情報はそれぞれ、第一ユーザが希望する対価を示す対価情報を含んでもよい。
【００５６】
第４態様によれば、受給希望情報および募集情報はそれぞれ、可搬型電力供給装置の返却日時または可搬型電力供給装置の返却場所に関する情報を含んでもよい。
【００５７】
第５態様によれば、ユーザＤＢ６２は、可搬型電力供給装置を有するユーザの識別情報と、当該可搬型電力供給装置の電力量と、当該ユーザの通信アドレスとを関連付けて記憶したユーザデータベースの一例である。抽出部５９はユーザデータベースから、受給希望情報に合致した複数のユーザそれぞれの通信アドレスを抽出する抽出手段の一例である。この場合に、第二送信手段は、抽出手段により抽出された通信アドレスにしたがって募集情報を複数の通信端末に送信してもよい。
【００５８】
第６態様によれば、可搬型電力供給装置１は、エンジン駆動発電機または可搬型蓄電池であってもよい。
【００５９】
第７態様によれば、可搬型電力供給装置１は、走行用の蓄電池を搭載した車両であってもよい。ナビゲーション部５８は、第一ユーザが電力の供給を希望する場所へ、第一ユーザが電力の供給を希望する日時までに車両が到着するよう車両の誘導情報を第二ユーザの通信端末に送信してもよい。
【００６０】
第８態様によれば、車両は誘導情報にしたがって走行する無人車両、有人車両またはドローンであってもよい。
【００６１】
第９態様によれば、同意情報受信部６０は第二ユーザの応募情報を第一ユーザの通信端末に対して送信した後で、第二ユーザの応募に同意するかどうかを示す同意情報を第一ユーザの通信端末から受信する第三受信手段の一例である。成立情報送信部６１は、第二ユーザの同意情報（成立情報）を第一ユーザの通信端末に送信する第三送信手段の一例である。
【００６２】
第１０態様によれば、通信回路５３は複数の通信端末と通信する通信手段の一例である。ＣＰＵ５１は通信手段を制御する制御手段の一例である。通信回路５３は第一ユーザの通信端末から電力の受給を希望することを示す受給希望情報を受信し、受給希望情報に基づき電力の供給を希望するユーザを募集するための募集情報を複数の通信端末に送信し、募集情報に対するレスポンスとして応募情報を第二ユーザの通信端末から受信し、第二ユーザの応募情報を第一ユーザの通信端末に対して送信するようにＣＰＵ５１により制御されてもよい。
【図１】
2019164639.tif 000003
【図２】
2019164639.tif 000004
【図３】
2019164639.tif 000005
【図４】
2019164639.tif 000006
【図５】
2019164639.tif 000007
【図６】
2019164639.tif 000008
【図７】
2019164639.tif 000009
【図８】
2019164639.tif 000010
【図９】
2019164639.tif 000011
【図１０】
2019164639.tif 000012